(57)【要約】　　　（修正有）【課題】机の引き出しや保管庫の棚などに収納保管する書類などのファイル保管箱に関する。【解決手段】有底の角筒箱体１の前板片２の上端縁に凹欠部３を形成するとともに、箱体１の側板片５の内側補強板に複数のスリット６を並設し、底板片に係合孔を穿ち、また、両側縁に前記スリット６に係合する突片を、下端縁に底板片の係合孔に差し込む突片を有する仕切り板８を形成し、該仕切り板８の上端縁に、箱体１の凹欠部３と相似形の凹欠部９を形成た書類などのファイル保管箱としたことである。【選択図】　図１
0003097082.tif 000002
【実用新案登録請求の範囲】
【請求項１】
有底の角筒状箱体の前板片の上端縁に凹欠部を設け、また、底板片に切り欠き係合孔を穿設するとともに、該箱体の折り返した両側板片の補強片に複数の係合用スリットを並設し、該係合用スリットに挿通する突片を上端縁に、底板片の係合孔に差し込む突片を下端縁にそれぞれ設けた仕切り板の上端に、箱体の前板片の上端縁の凹欠部と相似形の凹欠部を形成しことを特徴とする書類などのファイル保管箱。
【請求項２】
箱体の上端縁及び仕切り板の上端縁に設けた凹欠部が半円弧状あることを特徴とする請求項１記載の書類などのファイル保管箱。
【考案の詳細な説明】
【０００１】
【考案の属する技術分野】
この考案は、書類などを収納した状態で机の引き出しや、保管庫の棚などに収容保管するための書類などのファイル保管ボックスに関する。
【０００２】
【従来の技術】
従来、書類をそのまま、あるいは書類をファイル収納ホルダーに挟み込んだものを多数収納するファイル保管箱は、保管場所から持ち出し、書類を取り出すときに、容易に必要な書類を取り出すことができるような工夫が要求されている。
【０００３】
例えば、図示はしてい一枚の組立用紙に形成した前板片、指掛け孔を有する後板片、両側板片、底板片を順次折り返し部を介して組立て、図４に示すように箱体を組み立て、該有底の角筒状箱体Ｂの前面板ａと側板ｃとが接している上方の隅部を大きく三角形状に切り取り、前面板ａの正面に凹欠部ｄを形成して、収納したファイル、あるいはファイル収納ホルダーＦを取り出し易いように形成している。なお図中ｅは指掛け穴である。
ファイル収納ホルダーＦは、図５に示すように、Ｖ字形状に形成するとともに、該Ｖ字形状のファイル収納ホルダーＦの一側片の上端縁に見出し片ｇを設け、このファイル収納ホルダーＦのＶ字部分に書類を挿入し、書類を挟み収納したファイル収納ホルダーＦをファイル保管箱に吊り下げ保管している。
【０００４】
また、上記の一枚の組立用紙を用いたファイル保管箱Ｂは、ファイル収納ホルダーＦを上方開口部で支持するには、強度が足りないので、後板片ｂ及び両側板片ｃに折り返し板片をそれぞれ設けて、上方開口部を二重に形成して強度を持たせている。
【０００５】
【考案が解決しようとする課題】
上記のように形成した従来のファイル保管箱Ｂは、開口部を二重にすることにより強度を持たせることができたが、ファイル保管箱Ｂにファイル収納ホルダーＦを多く収納すると取り出しにくい。
また、ファイル収納ホルダーを用いずに保管箱に収納した場合、収納したファイルの量が少ないと、該ファイルはファイル保管箱内に埋没するおそれがあるなどの問題がある。
【０００６】
【課題を解決するための手段】
この考案は上述の課題を解決するために、有底の角筒状箱体の前板片の上端縁に凹欠部を設け、また、底板片に切り欠き係合孔を穿設するとともに、該箱体の折り返した両側板片の補強片に複数の係合用スリットを並設し、また、仕切り板の両側上端縁に、箱体の側板片の係合用スリットに挿通する突片を、底板片の係合孔に差し込む突片を下端縁にそれぞれ設け、該仕切り板の上端縁に箱体の前板片の上端縁の凹欠部と相似形の凹欠部を形成した書類などのファイル保管箱に形成したことである。
【０００７】
また、箱体の上端縁及び仕切り板の上端縁に設けた凹欠部の形状を、半円弧状に形成したことである。
【０００８】
この考案は上記のとおりの構成であるから、箱体の側板片の内側壁の切り欠き係合孔に仕切り板の突片を係合することにより、箱体内に複数の区画室を形成できる。
また、箱体の前板片の上端縁の凹欠部と、仕切り板の上端縁の凹欠部を同一形状の凹欠部としたので、双方の凹欠部の端縁よりファイルの端縁が突出するので、突き出たファイルの一部を容易に指で摘まみ引き出すことができ、保管してあるファイルの取り出しが容易である。
【０００９】
【考案の実施の形態】
この発明の実施の形態を実施例にもとづき、図面を参照して説明する。
図１及び図２はこの考案ファイル保管箱の斜視図であり、図１は箱体内に仕切り板を取り付けた状態を示し、図２は仕切り板を外した状態を示す図である。
上方を開放した有底の箱体１の前板片２の上端縁２ａに半楕円形状の凹欠部３を形成し、また後板片４及び左右の側板片５を折返し補強板片４ａ、５ａにより二重板構造に形成する。
【００１０】
上記の左右側板片５の上方の折り返し片により形成された内側補強片５ａの上端縁から下端縁に向けて縦細長溝状のスリット６を複数個並設する一方底板片には、細長方形状の係合孔１１ａを穿設する。
後板片４の内側補強片に指掛け長穴７を、また、側板片５の下部に指掛け長穴１３をそれぞれ設ける。
【００１１】
図３は箱体１に取り付ける仕切り板８の正面図であり、該仕切り板８は上端縁８ａを、箱体１の前板片２の上端縁２ａの半楕円形状の凹欠部３と同じ形状の凹欠部９に形成し、また、仕切り板８の両側部上端縁部に、箱体１の側板片５の内側補強片５ａに形成した縦細長溝からなるスリット６に係合する突片１０を設ける。
さらに、仕切り板８の下端縁に箱体１の底板片１１の係合孔１１ａに差し込む突片１０ａを設ける。
【００１２】
上述のように構成した仕切り板８を、図１に示すとおり有底の箱体１の縦細長溝からなるスリット６及び底板片１１の係合孔１１ａを介して取り付け、箱体１内に多数の区画室を形成する。
【００１３】
【考案の効果】
この考案は上記のとおりであるから、箱体の側板片の内側補強片の側壁のスリット及び底板片の係合孔に仕切り板の突片をそれぞれ係合することにより仕切り板８は安定し、また、箱体内に複数の区画室を形成できるので、保管ファイルが少なくても、ファイルが箱内に沈み込むことなく確実に保管できる。
【００１４】
また、箱体の前板片の上端縁の凹欠部と、仕切り板の上端縁の凹欠部を同一形状の凹欠部としたので、ファイルの一部が常に、該凹欠部より覗いているので、ファイルが高い棚などに保管されていても、ファイルの有無を容易に判別できる。
さらに、端縁部を指で摘みやすいので、箱体の前面のみに凹欠部を形成した従来のファイル保管箱に比べて、保管してあるファイルの引き抜き作業が容易である。
また、箱体及び仕切り板の上端縁を円弧状の凹欠部としたので、角形状の凹欠部と比して書類を摘み出し易い。
【００１５】
さらに、仕切り板の取付は側板片のスリットの上端縁から落とし込むだけで容易に取り付けることができる上に、箱体の側壁のスリット及び底板片の係合孔で支持されているので、区画室を明確に形成できる。また、仕切り板の抜き差しにより、スペースの異なる区画室を形成できるので厚さの異なるファイルの収納が可能となる。
【図面の簡単な説明】
【図１】この考案のファイル保管箱の斜視図である。
【図２】ファイル保管箱み仕切り板を取り付けた状態の斜視図である。
【図３】この考案の仕切り板の正面図である。
【図４】従来のファイル保管箱の斜視図である。
【図５】従来のファイル保管シートの斜視図である。
【符号の説明】
１　箱体
２　前板片
２ａ　上端縁
３　凹欠部
４　後板片
４ａ　補強板片
５　側板片
５ａ　補強板片
６　スリット
７　指掛け長穴
８　仕切り板
８ａ　上端縁
９　凹欠部
１０　突片
１０ａ　突片
１１　底板片
１１ａ　係合孔
１３　横長指掛け穴
【図１】
0003097082.tif 000003
【図２】
0003097082.tif 000004
【図３】
0003097082.tif 000005
【図４】
0003097082.tif 000006
【図５】
0003097082.tif 000007